【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】
カセッテに内包された輝尽性蛍光体シートから放射線画像情報を読み取る放射線画像読取装置であって、
前記カセッテを挿入する挿入口と、前記カセッテを排出する排出口と、前記排出口より排出された前記カセッテを複数枚スタック可能なスタッカ部とを有し、
前記挿入口に挿入された前記カセッテが装置本体内部へと搬送され、前記カセッテに内包された前記輝尽性蛍光体シートから放射線画像情報を読取／消去後に、前記カセッテが前記読取／消去を終えた輝尽性蛍光体シートを内包した状態で、回転移動する様に搬送され、前記排出口へ排出される様に動作し、
前記排出口へ排出された前記カセッテが前記スタッカ部へ順次スタックされる様に構成されていることを特徴とする放射線画像読取装置。
【請求項２】
前記挿入口に挿入された第１のカセッテが装置本体内部に搬送されると、前記挿入口が第２のカセッテを受付可能な状態となり、この状態で前記第２のカセッテが前記挿入口に挿入されると、前記第２のカセッテが前記挿入口で待機状態となり、
前記第１のカセッテが、前記排出口に排出されると、前記挿入口に待機していた前記第２のカセッテが、前記装置本体内部へ搬送される様に動作することを特徴とする請求項１に記載の放射線画像読取装置。
【請求項３】
前記カセッテを前記挿入口から前記装置本体内部へ取り込むための搬送方向が、前記カセッテを前記挿入口から前記装置本体の下方へと搬送する方向で実施されると共に、前記カセッテを前記排出口へ排出するための搬送方向が、前記カセッテを前記装置本体の下方から前記排出口へ向けて上方へと搬送する方向で実施される様に構成されていることを特徴とする請求項１に記載の放射線画像読取装置。
【請求項４】
前記排出口への前記カセッテ排出方向又は前記スタッカ部にスタックされた前記カセッテの保持方向と、前記挿入口への前記カセッテ挿入方向が、床面と垂直な面に対して同方向に傾斜していることを特徴とする請求項１に記載の放射線画像読取装置。
【請求項５】
前記スタッカ部が前記排出口より排出された前記カセッテで満杯になると、前記スタッカ部がカセッテで満杯になったことを通知する手段を有することを特徴とする請求項１に記載の放射線画像読取装置。
【請求項６】
前記スタッカ部が前記排出口より排出された前記カセッテで満杯になると、前記挿入口に前記カセッテが挿入出来ないように制御するか、もしくは、挿入されても前記挿入口に前記カセッテを保持した状態で待機する様に制御するか、もしくは、前記装置内部で前記カセッテの搬送を停止し、前記排出口に前記カセッテを排出しない様に制御することを特徴とする請求項１に記載の放射線画像読取装置。
【請求項７】
前記スタッカ部が前記排出口よりも下方に位置し、前記排出口から排出された前記カセッテが自重によって前記スタッカ部へ収納される様に構成されたことを特徴とする請求項１に記載の放射線画像読取装置。
【請求項８】
前記排出口から排出された前記カセッテを前記スタッカ部へと搬送する搬送機構を有することを特徴とする請求項１に記載の放射線画像読取装置。
【請求項９】
前記挿入口の開口部と前記排出口の開口部が床面に対してそれぞれ水平でかつ並行に並んで位置する様に構成されていることを特徴とする請求項１に記載の放射線画像読取装置。
【請求項１０】
前記挿入口が前記排出口もしくは前記スタッカ部よりも前方に位置し、かつ、前記挿入口が、前記排出口もしくは前記スタッカ部より低くなるように構成されていることを特徴とする請求項１に記載の放射線画像読取装置。
【請求項１１】
前記カセッテのフロント板がバック板と分離可能な構造を有し、前記輝尽性蛍光体シートが前記バック板に添付された状態で、前記輝尽性蛍光体シートから前記放射線画像情報が読み取られることを特徴とする請求項１に記載の放射線画像読取装置。
【手続補正２】
【補正対象書類名】明細書
【補正対象項目名】０００８
【補正方法】変更
【補正の内容】
【０００８】
請求項１に記載の発明は、『カセッテに内包された輝尽性蛍光体シートから放射線画像情報を読み取る放射線画像読取装置であって、
前記カセッテを挿入する挿入口と、前記カセッテを排出する排出口と、前記排出口より排出された前記カセッテを複数枚スタック可能なスタッカ部とを有し、
前記挿入口に挿入された前記カセッテが装置本体内部へと搬送され、前記カセッテに内包された前記輝尽性蛍光体シートから放射線画像情報を読取／消去後に、前記カセッテが前記読取／消去を終えた輝尽性蛍光体シートを内包した状態で、回転移動する様に搬送され、前記排出口へ排出される様に動作し、
前記排出口へ排出された前記カセッテが前記スタッカ部へ順次スタックされる様に構成されていることを特徴とする放射線画像読取装置。』である。
【手続補正３】
【補正対象書類名】明細書
【補正対象項目名】００２８
【補正方法】削除
【補正の内容】
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】変更
【補正の内容】
【００３０】
請求項１１に記載の発明は、『前記カセッテのフロント板がバック板と分離可能な構造を有し、前記輝尽性蛍光体シートが前記バック板に添付された状態で、前記輝尽性蛍光体シートから前記放射線画像情報が読み取られることを特徴とする請求項１に記載の放射線画像読取装置。』である。
【手続補正６】
【補正対象書類名】明細書
【補正対象項目名】００３１
【補正方法】変更
【補正の内容】
【００３１】
この請求項１１に記載の発明によれば、カセッテのフロント板がバック板と分離可能な構造を有し、輝尽性蛍光体シートがバック板に添付された状態で、輝尽性蛍光体シートから放射線画像情報が読み取られる様に構成したので、輝尽性蛍光体シートをカセッテから出し入れするタイプに比べて、輝尽性蛍光体が傷つきにくく、長期に渡って高品質が画像情報を提供することができる。
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】００４０
【補正方法】削除
【補正の内容】
【手続補正１５】
【補正対象書類名】明細書
【補正対象項目名】００４１
【補正方法】削除
【補正の内容】
【手続補正１６】
【補正対象書類名】明細書
【補正対象項目名】００４２
【補正方法】削除
【補正の内容】
【手続補正１７】
【補正対象書類名】明細書
【補正対象項目名】００４３
【補正方法】削除
【補正の内容】
【手続補正１８】
【補正対象書類名】明細書
【補正対象項目名】００４４
【補正方法】削除
【補正の内容】
【手続補正１９】
【補正対象書類名】明細書
【補正対象項目名】００４５
【補正方法】削除
【補正の内容】
【手続補正２０】
【補正対象書類名】明細書
【補正対象項目名】００４６
【補正方法】削除
【補正の内容】
【手続補正２１】
【補正対象書類名】明細書
【補正対象項目名】００４７
【補正方法】削除
【補正の内容】
【手続補正２２】
【補正対象書類名】明細書
【補正対象項目名】００４８
【補正方法】削除
【補正の内容】
【手続補正２３】
【補正対象書類名】明細書
【補正対象項目名】００４９
【補正方法】削除
【補正の内容】
【手続補正２４】
【補正対象書類名】明細書
【補正対象項目名】００５０
【補正方法】削除
【補正の内容】
【手続補正２５】
【補正対象書類名】明細書
【補正対象項目名】００５１
【補正方法】削除
【補正の内容】
【手続補正２６】
【補正対象書類名】明細書
【補正対象項目名】０２０４
【補正方法】変更
【補正の内容】
【０２０４】
【発明の効果】
前記したように、請求項１乃至請求項１１に記載の発明では、低コストで小さな装置サイズを提供しつつ、作業効率の低下を招かない放射線画像読取装置を提供するとが出来る。